(57)【要約】【課題】  計量ホッパから排出された被計量物の周方向における移動を効果的に規制して、１計量サイクル分の被計量物を集合ホッパから最短時間で排出することで高速処理を行うことが可能な組合せ計量装置および組合せ計量包装システムを提供する。【解決手段】  組合せ計量装置１は、計量ホッパ５から排出された物品を集合させる集合排出シュート７を備えている。集合排出シュート７には、各計量ホッパ５に対応して、計量ホッパ５の間に物品の落下方向に沿って延伸する第１仕切り部７１が形成されている。集合排出シュート７には、第１仕切り部７１の間における物品の滑落面に第２仕切り部７２が形成されている。【選択図】      図５
2005212830.tif 000002
【特許請求の範囲】
【請求項１】
組合せ演算に用いられる計量済みの被計量物を貯留する複数のホッパと、
前記複数のホッパから排出される前記被計量物を集合させて排出口から排出する集合シュートと、
を備え、
前記集合シュートは、前記複数のホッパのそれぞれに対応して前記被計量物の落下方向に沿って延伸するように、前記各ホッパの間に形成された第１仕切り部と、前記第１仕切り部同士の間に形成された第２仕切り部とを有している、
組合せ計量装置。
【請求項２】
前記第２仕切り部は、高さ、巾、ピッチのうち少なくとも１つが異なる複数種類の仕切り部をさらに備えている、
請求項１に記載の組合せ計量装置。
【請求項３】
前記第１仕切り部と前記第２仕切り部とは、高さ、巾、ピッチのうち少なくとも１つが異なる、
請求項１または２に記載の組合せ計量装置。
【請求項４】
前記集合シュートは、前記被計量物の落下方向において分割された複数の滑落面を有している、
請求項１から３のいずれか１項に記載の組合せ計量装置。
【請求項５】
前記複数の滑落面は、第１滑落面と、前記第１滑落面よりも前記被計量物の落下方向における下流側に配置された第２滑落面とであって、
前記第１滑落面には、前記第２滑落面よりも多くの前記第１仕切り部、前記第２仕切り部が形成されている、
請求項４に記載の組合せ計量装置
【請求項６】
前記第１仕切り部および第２仕切り部は、前記集合シュートとは別体として形成されている、
請求項１から５のいずれか１項に記載の組合せ計量装置。
【請求項７】
前記集合シュートは、１枚の板を折り曲げて形成されている、
請求項１から５のいずれか１項に記載の組合せ計量装置。
【請求項８】
前記集合シュートの表面には、摩擦抵抗を低くする表面処理が施されている、
請求項１から７のいずれか１項に記載の組合せ計量装置。
【請求項９】
前記表面処理は、テフロン加工である、
請求項８に記載の組合せ計量装置。
【請求項１０】
前記表面処理は、エンボス加工である、
請求項８に記載の組合せ計量装置。
【請求項１１】
前記複数のホッパは、周方向に配置されている、
請求項１から１０のいずれか１項に記載の組合せ計量装置。
【請求項１２】
請求項１から１１のいずれか１項に記載の組合せ計量装置と、
前記組合せ計量装置の下方に配置された包装機と、
を備え、
前記組合せ計量装置のホッパから前記包装機の投入口に至るまでに前記被計量物が通過する経路には、前記被計量物の落下方向に直交する方向への前記被計量物の移動を規制する仕切り部が形成されている、
組合せ計量包装システム。
【発明の詳細な説明】
【技術分野】
【０００１】
本発明は、複数のホッパから排出される被計量物を集合させる集合シュートを備えた組合せ計量装置および組合せ計量包装システムに関する。
【背景技術】
【０００２】
菓子や果物など個々の重量にばらつきがある被計量物の計量を高速かつ高精度に行うために、一般に組合せ計量装置が用いられている。組合せ計量装置は、複数の計量ホッパを有しており、被計量物の各計量値を組合せ演算して既定の許容範囲内の計量値となるホッパの組合せを選択して被計量物を排出するものである。
このような組合せ計量装置は、組合せ演算の結果、選択された計量ホッパから被計量物を排出し、計量ホッパの直下に配置された集合シュートにおいて排出された被計量物を集合させる。
【０００３】
例えば、特許文献１には、集合シュートにおいて、計量ホッパから排出された被計量物が周方向へ移動しながら滑落することによる排出の遅延を抑制するための工夫が施された組合せ計量・計数装置が開示されている。この組合せ計量・計数装置では、例えば、集合シュートの上段部における被計量物の周方向への拡散を防止するために、仕切り部が設けられている。これにより、組合せ計量１回分の物品（被計量物）が集合シュートの排出口を通過するまでに要する時間を短縮して、次の組合せ計量によって選択されたホッパから物品を排出するまでの待機時間を短縮できる。このため、組合せ計量装置全体として、処理を高速化することができる。
【特許文献１】ＷＯ０１／０４８４４８号公報（平成１３年７月５日公開）
【特許文献２】特開２００３−２６７３１５号（平成１５年９月２５日公開）
【発明の開示】
【発明が解決しようとする課題】
【０００４】
しかしながら、上記従来の組合せ計量装置では、以下に示すような問題点を有している。
すなわち、上記公報に開示された組合せ計量・計数装置では、集合ホッパの上段部に複数の仕切り部を設けることにより被計量物の周方向への拡散を防止している。しかし、仕切り部が各計量ホッパの位置を考慮して形成されていないため、計量ホッパと仕切り部との位置関係によっては、被計量物の周方向への拡散を有効に防止できないおそれがある。
【０００５】
本発明の課題は、計量ホッパから排出された被計量物の周方向における移動を効果的に規制して、１計量サイクル分の被計量物を集合ホッパから最短時間で排出することで高速処理を行うことが可能な組合せ計量装置および組合せ計量包装システムを提供することにある。
【課題を解決するための手段】
【０００６】
請求項１に記載の組合せ計量装置は、複数のホッパと、集合シュートとを備えている。複数のホッパは、組合せ演算に用いられる計量済みの被計量物を貯留する。集合シュートは、複数のホッパから排出される被計量物を集合させて排出口から排出する。そして、集合シュートは、複数のホッパのそれぞれに対して、各ホッパの間に被計量物の落下方向に沿って延伸するように形成された第１仕切り部と、第１仕切り部同士の間に被計量物の落下方向に沿って延伸するように形成された第２仕切り部とを有している。
【０００７】
ここでは、集合シュートにおける被計量物の落下方向に沿って延伸するように形成されており、個々のホッパの配置に対応して形成された複数の仕切り部を有している。
従来の組合せ計量装置では、円周方向に配置された複数のホッパから被計量物が排出される集合シュートにおける被計量物の周方向への移動を規制するための仕切り部を有している。しかしながら、この仕切り部の形成位置に関し、集合シュートに対して被計量物を排出する複数のホッパとの関係は考慮されていなかった。このため、ホッパと仕切り部との位置関係によっては、例えば、仕切り部間で被計量物が周方向に移動して、集合シュートにおける被計量物の滑落時間を短縮できないおそれがある。
【０００８】
そこで、本発明の組合せ計量装置では、集合シュートに対して被計量物を排出する複数のホッパのそれぞれに対応する位置に、集合シュートに被計量物の落下方向に沿って延伸する第１仕切り部と第２仕切り部とを形成している。具体的には、第１仕切り部を各ホッパの間に対応させて形成するとともに、第２仕切り部を第１仕切り部同士の間のいわゆる物品の滑落面に形成する。
【０００９】
これにより、集合ホッパ上における被計量物の滑落方向に直交する方向への移動を従来の組合せ計量装置よりも効果的に防止して、被計量物を排出口から集合シュートの直下に設けられた集合ホッパ等へ最短時間で排出することができる。よって、従来の組合せ計量装置と比較して集合シュートにおける計量サイクル１回分の被計量物の滑落時間を短縮して、組合せ計量装置における処理の高速化を図ることができる。
【００１０】
なお、上記被計量物の落下方向とは、集合シュートにおける現実の被計量物の滑落方向を指すものではなく、それぞれの被計量物が集合シュートに排出された位置と集合シュートの排出口とを結ぶ直線によって表される方向、すなわち集合シュートへ排出された被計量物が重量を受けて滑落すべき方向を指すものとする。
請求項２に記載の組合せ計量装置は、請求項１に記載の組合せ計量装置であって、第２仕切り部は、高さ、巾、ピッチのうち、少なくとも１つが異なる複数種類の仕切り部をさらに備えている。
【００１１】
ここでは、物品の滑落面上に形成される第２仕切り部として、高さ等が異なる複数種類の仕切り部を形成することで、様々な種類、大きさの被計量物に対しても対応することができる。
請求項３に記載の組合せ計量装置は、請求項１または２に記載の組合せ計量装置であって、第１仕切り部と第２仕切り部とは、高さ、巾、ピッチのうち、少なくとも１つが異なる。
【００１２】
ここでは、第１仕切り部と第２仕切り部とで、高さ、巾、ピッチ等が異なる仕切りを形成する。これにより、種類、大きさ等が異なる被計量物が混在している場合でも、それぞれの被計量物に応じて効果的に滑落方向に直行する方向への移動を規制して、高速排出を実現できる。また、例えば、第１仕切り部を第２仕切り部よりも高い仕切りとすることで、被計量物の滑落面における滑落方向に直交する方向への移動については第２仕切り部が抑制し、各ホッパの巾に対応する範囲内における被計量物の滑落面における滑落方向に直交する方向への移動については第１仕切り部が抑制することで、１計量サイクル分の被計量物を効率よく短時間で排出することができる。
【００１３】
請求項４に記載の組合せ計量装置は、請求項１から３のいずれか１項に記載の組合せ計量装置であって、集合シュートは、被計量物の落下方向において分割された複数の滑落面を有している。
ここでは、被計量物の種類、形状等に応じて高さ、巾、角度、ピッチ等が異なる仕切り部の中から適当な仕切り部が形成された滑落面を選択して集合シュートに取り付けることができる。よって、被計量物の種類等に関わらず、組合せ計量装置からの排出を高速化できる。
【００１４】
請求項５に記載の組合せ計量装置は、請求項４に記載の組合せ計量装置であって、複数の滑落面は、第１滑落面と、第１滑落面よりも被計量物の落下方向における下流側に配置された第２滑落面とであって、第１滑落面には、第２滑落面よりも多くの第１仕切り部、第２仕切り部が形成されている。
ここでは、滑落面の下方側に行くにつれて、第１，第２仕切り部の数が減少するため、集合シュートの排出口を狭めることなく、高速排出が可能になる。
【００１５】
請求項６に記載の組合せ計量装置は、請求項１から５のいずれか１項に記載の組合せ計量装置であって、第１仕切り部および第２仕切り部は、集合シュートとは別体として形成されている。
ここでは、第１仕切り部および第２仕切り部が、集合シュートとは別部材として形成されているため、被計量物の種類、形状等に応じて、適当な高さ、幅等を有する仕切り部を集合シュートに取り付けることができる。よって、被計量物の種類等に関わらず、組合せ計量装置における排出を高速化できる。
【００１６】
請求項７に記載の組合せ計量装置は、請求項１から５のいずれか１項に記載の組合せ計量装置であって、集合シュートは、１枚の板を折り曲げて形成されている。
ここでは、第１仕切り部および第２仕切り部を有する集合シュートが１枚の板から形成されているため、部品点数を減少させて、コストダウンを図ることができる。
請求項８に記載の組合せ計量装置は、請求項１から７のいずれか１項に記載の組合せ計量装置であって、集合シュートの表面には、摩擦抵抗を低くする表面処理が施されている。
【００１７】
ここでは、集合シュートの表面に施された表面処理によって、被計量物が集合シュートに沿って滑落する際の速度を低下させることなく、被計量物を高速で移動させながら集合シュートから排出することができる。
請求項９に記載の組合せ計量装置は、請求項８に記載の組合せ計量装置であって、表面処理は、テフロン（登録商標）加工である。
【００１８】
ここでは、摩擦抵抗の少ないテフロン加工を施すことで、被計量物の滑落速度の低下を防止して、高速排出が可能になる。
請求項１０に記載の組合せ計量装置は、請求項８に記載の組合せ計量装置であって、表面処理は、エンボス加工である。
ここでは、被計量物がある程度大きい場合には、エンボス加工を滑落面の表面に施すことで、被計量物と滑落面との摩擦を軽減して被計量物の高速排出が可能になる。
【００１９】
請求項１１に記載の組合せ計量装置は、請求項１から１０のいずれか１項に記載の組合せ計量装置であって、複数のホッパは、周方向に配置されている。
ここでは、ホッパから排出された被計量物の周方向への移動が生じやすい構成である周方向に配置された複数のホッパを有する組合せ計量装置であっても、第１仕切り部および第２仕切り部によって周方向への移動を防止することができる。このため、ホッパから排出された被計量物を、短時間で集合シュートの直下に設けられた集合ホッパ等へ投入でき、組合せ計量装置による処理を高速化できる。
【００２０】
請求項１２に記載の組合せ計量包装システムは、請求項１から１１のいずれか１項に記載の組合せ計量装置と、組合せ計量装置の下方に配置された包装機と、を備えている。組合せ計量装置のホッパから包装機の投入口に至るまでに被計量物が通過する経路には、被計量物の落下方向に直交する方向への被計量物の移動を規制する仕切り部が形成されている。
【００２１】
ここでは、被計量物が通過する排出口までの全ての搬送経路に仕切り部が形成されているため、被計量物を排出口まで直線的に移動させて被計量物の高速排出が可能になる。
【発明の効果】
【００２２】
本発明の組合せ計量装置によれば、集合シュートにおける計量サイクル１回分の被計量物の滑落時間を短縮して、組合せ計量装置における処理の高速化を図ることができる。
【発明を実施するための最良の形態】
【００２３】
［組合せ計量装置全体の構成］
本発明の一実施形態に係る組合せ計量装置１は、図１に示すように、複数の計量ホッパ５において貯留されている被計量物の重量値を用いて、被計量物の集合体が所定重量あるいは所定数量になるように組合せ計量を行う装置である。また、本実施形態の組合せ計量包装システム１０は、組合せ計量装置１と、組合せ計量装置１の後段に配置された包装機９とを備えている。
【００２４】
組合せ計量装置１は、主として、前段に配置された供給コンベア装置４０が被計量物（以下、物品と記す）を落下させる位置の真下に配置される円錐状の分散テーブル２と、分散テーブル２の周囲に複数配置された供給フィーダ３と、供給フィーダ３の下流側に配置された複数のプールホッパ４および計量ホッパ５と、集合排出シュート７と、を備えている。
【００２５】
分散テーブル２は、傘状の円形板であって、図３に示す電磁加振装置２ａによって振動させられる。分散テーブル２の上面に供給された物品は、振動によって円形板の外周側へ分散しながら移動し、分散テーブル２の外周に沿って配置された供給フィーダ３上へ落下する。
供給フィーダ３は、図２に示すように、分散テーブル２を中心とする周方向にほぼ均等に配置された複数の供給トラフ３１ａ〜３１ｄを備えている。供給トラフ３１は、図３に示す電磁加振装置３ａによって振動させられ、分散テーブル２から供給された物品を振動によって外方へ移動させてプールホッパ４に送出する。供給トラフ３１は、ステンレス鋼板を折り曲げて成形した板金製の部材である。なお、図２では、説明の便宜上、供給トラフ３１およびプールホッパ４を４つずつしか示していないが、実際には分散テーブル２を中心として１６個の供給トラフ３１がその周りを取り囲むように配置されているものとする。
【００２６】
プールホッパ４は、供給フィーダ３から物品を受け取って一時的にプールする。また、その下部には、物品を下流側に配置された計量ホッパ５に投下するためのゲート４１が設けられている。ゲート４１は、図示しない制御部からの指令によって開放されて、計量ホッパ５に物品を供給する。
計量ホッパ５は、プールホッパ４の下流側に設けられている。プールホッパ４、計量ホッパ５は、各供給トラフ３１に１対１に対応して、周方向に沿って複数配置されている。それぞれの計量ホッパ５は、ホッパ内の物品の重量を計測するためのロードセルを有している。また、その下部には、物品を下流側に配置された集合排出シュート７に対して排出するためのゲート５１が設けられている。ゲート５１は、図示しない制御部からの指令によって開放される。
【００２７】
集合排出シュート７は、各計量ホッパ５から投下された物品を集合させた後、包装機９等の後段に配置された装置に対して物品を落下させる。なお、集合排出シュート７の詳細な構成については後段にて詳述する。
本実施形態の組合せ計量装置１では、上述したプールホッパ４と計量ホッパ５とが縦方向に直列的に配置されて構成されるヘッド８が、複数の供給フィーダ３に対応して、複数並列配置されている。そして、計量ホッパ５に貯留されている計量済みの物品の重量値を用いて組合せ演算を行い、組合せ演算の結果、選択された各計量ホッパ５から集合排出シュート７に対して物品を排出する。
【００２８】
組合せ計量包装システム１０が備えている包装機９は、フォーマ（投入口）９ａを有しており、側方から送られてくるシート状のフィルムＦを包帯状にして、組合せ計量装置１から排出される物品を包装する。
［集合排出シュート］
本実施形態の組合せ計量装置１は、上述したように、計量ホッパ５から排出された物品を集合させて、後段に配置された包装機の投入口９ａの方へ滑落させる集合排出シュート７を備えている。
【００２９】
集合排出シュート７は、図４および図５に示すように、集合排出シュート７の排出口を中心とする周方向にほぼ均等に複数配置された計量ホッパ５の下流側に配置されている。そして、選択された計量ホッパ５のゲート５１部分から排出される物品を受け止めて、滑落面に沿って下向きに物品を滑落させる。また、集合排出シュート７は、鉛直方向に分割された複数の滑落面７ａ〜７ｅを有している。
【００３０】
滑落面７ａ〜７ｅには、計量ホッパ５から排出された物品の周方向への移動（滑落方向に直交する方向への移動）を規制するために、物品の落下方向に沿って延伸する向きに複数の仕切り部７１，７２（図６参照）が形成されている。さらに、滑落面７ａ〜７ｅには、テフロン（登録商標）加工が施されている。これにより、滑落面７ａ〜７ｅと滑落面７ａ〜７ｅ上を移動する物品との間に生じる摩擦力を低減して、物品を高速のまま排出させることができる。
【００３１】
仕切り部７１，７２は、図５に示すように、滑落面７ａ〜７ｅのうち下方に配置された滑落面ほど、形成されている数が少なくなっている。具体的には、滑落面７ａ，７ｂ，７ｃ，７ｄ，７ｅに形成されている仕切り部７１，７２の数の比は、５６：２８：１４：７：４となっている。つまり、上方に配置された滑落面７ａ（第１滑落面）は下方に配置された滑落面７ｂ（第２滑落面）よりも形成されている仕切り部７１，７２の数が多く、上方に配置された滑落面７ｂ（第１滑落面）は下方に配置された滑落面７ｃ（第２滑落面）よりも形成されている仕切り部７１，７２の数が多い。滑落面７ｃ〜７ｅについても同様である。これにより、仕切り部７１，７２によって集合排出シュート７の排出口が狭められることを防止して、滑落面７ａ〜７ｅの排出口からスムーズに物品を排出することが可能になる。
【００３２】
第１仕切り部７１は、図６に示すように、計量ホッパ５のそれぞれの配置に対応して、各計量ホッパ５の間に形成されている。
第２仕切り部７２は、図６に示すように、第１仕切り部７１同士の間の物品の滑落面上に形成されている。第２仕切り部７２は、第１仕切り部７１と比較して、高さ、巾、ピッチが異なっており、第１仕切り部７１よりも小さい。
【００３３】
この第１仕切り部７１および第２仕切り部７２が形成されていることにより、集合排出シュート７に排出された物品が、集合排出シュート７の排出口を中心とする周方向に移動することを抑制できる。これにより、物品が計量ホッパ５から排出された後、集合排出シュート７の排出口から排出されるまでの時間を短縮して、組合せ計量装置１における処理を高速化できる。
【００３４】
なお、第１仕切り部７１および第２仕切り部７２は、集合排出シュート７とは別体として形成された後、集合排出シュート７に対して取り付けられている。このため、組合せ計量装置１が取り扱う物品の種類、大きさ等に応じて、適切な高さ等を有する仕切り部７１，７２を選択して取り付けることが可能になる。
［本組合せ計量装置の特徴］
（１）
本実施形態の組合せ計量装置１は、計量ホッパ５から排出された物品を集合させる集合排出シュート７を備えている。そして、集合排出シュート７には、図５に示すように、各計量ホッパ５に対応して、計量ホッパ５の間に物品の滑落方向に沿って延伸する第１仕切り部７１が形成されている。さらに、集合排出シュート７には、第１仕切り部７１の間における物品の滑落面に第２仕切り部７２が形成されている。
【００３５】
ここでは、集合排出シュート７の表面に、各計量ホッパ５に対応させて複数の仕切り部７１，７２を形成している。これにより、集合排出シュート７に排出された物品が集合排出シュート７上において周方向に移動して生じる時間的ロスを低減できる。
従来の組合せ計量装置では、組合せ演算の結果選択されたホッパから排出される物品をできるだけ速く集合排出シュートから排出するために、集合排出シュートの表面に仕切り部が形成されていた。しかし、従来の組合せ計量装置では、仕切り部が各ホッパ５の配置とは無関係に形成されていたため、物品を集合排出シュート上から高速排出させることが困難であった。
【００３６】
そこで、本実施形態の組合せ計量装置１では、各計量ホッパ５の間に第１仕切り部７１を形成するとともに、第１仕切り部７１同士の間における物品の滑落面に第２仕切り部７２を形成している。これにより、計量ホッパ５から排出された物品を、まず第１仕切り部７１によって周方向の移動を規制する一方、第２仕切り部７２によって滑落している物品の周方向の移動を規制することができる。よって、計量ホッパ５から排出された物品をほぼまっすぐに集合排出シュート７の排出口まで滑落させることができ、物品の滑落時間を従来の組合せ計量装置よりも効果的に抑制して、組合せ計量装置１の全体として高速処理が可能になる。
【００３７】
（２）
本実施形態の組合せ計量装置１では、第１仕切り部７１と第２仕切り部７２とで、高さ、巾、ピッチが異なっている。
これにより、物品の大きさ、種類等が混在した物品を排出する場合でも、効果的に周方向に移動を抑制して、高速排出が可能になる。また、高さ等が異なる複数の仕切り部を混在させることで、それぞれの仕切り部７１，７２を、例えば、計量ホッパ５から排出された直後の周方向の移動規制と、滑落中における周方向に移動の規制とで使い分けることもできる。
【００３８】
（３）
本実施形態の組合せ計量装置１では、物品の滑落方向に沿って複数に分割された滑落面７ａ〜７ｅを有している。
これにより、それぞれの滑落面７ａ〜７ｅごとに異なる仕切り部を形成することができ、物品の種類等に関わらず、集合排出シュート７からの排出を高速化できる。
【００３９】
（４）
本実施形態の組合せ計量装置１では、物品の滑落方向に沿って複数に分割された滑落面７ａ〜７ｅにおける仕切り部７１，７２が、下方に配置された滑落面ほど数が少なくなるように形成されている。
ここでは、物品の滑落方向下向きに数が減っていくように、第１仕切り部７１および第２仕切り部７２が形成されている。これにより、仕切り部７１，７２によって集合排出シュート７の排出口が狭められることなく、スムーズに物品を排出することが可能になる。
【００４０】
（５）
本実施形態の組合せ計量装置１では、漏斗形状の集合排出シュート７に対して物品を排出する計量ホッパ５が、集合排出シュート７の周方向に沿って配置されている。
このように、計量ホッパ５から排出された際に物品が周方向へ移動しやすい構造の組合せ計量装置１であっても、第１仕切り部７１および第２仕切り部７２によって物品の周方向への移動を効果的に抑制できる。よって、物品の滑落時間を最小限に抑えた高速排出が可能になる。
【００４１】
（６）
本実施形態の組合せ計量包装システム１０では、上述した組合せ計量装置１において選択された計量ホッパ５から排出された物品が包装機９の投入口に至るまでに通過する経路の全てに第１仕切り部７１および第２仕切り部７２と同様の仕切り部を形成している。
これにより、計量ホッパ５から排出された物品を最短距離で包装機９まで滑落させることができるため、さらに確実に高速排出が可能になる。
［他の実施形態］
以上、本発明の一実施形態について説明したが、本発明は上記実施形態に限定されるものではなく、発明の要旨を逸脱しない範囲で種々の変更が可能である。
【００４２】
（Ａ）
上記実施形態では、第２仕切り部７２が、図６に示すように、全て同じ大きさで形成されている例を挙げて説明した。しかし、本発明はこれに限定されるものではない。
例えば、図７（ａ）および図７（ｂ）に示すように、異なる大きさの仕切り部７２ａ，７２ｂが形成されていてもよい。
【００４３】
なお、第２仕切り部７２の大きさは、組合せ計量を行う物品の種類、大きさ等に応じて変更すればよい。これにより、物品の種類等を問わずに高速排出が可能になる。
（Ｂ）
上記実施形態では、下方に配置された滑落面７ａ〜７ｅに従って、第１仕切り部７１および第２仕切り部７２の形成数が減少していく例を挙げて説明した。しかし、本発明はこれに限定されるものではない。
【００４４】
例えば、第１仕切り部７１の数はそのままで、第２仕切り部７２の数だけを減少させてもよい。
また、上記実施形態で形成された仕切り部の数の比について具体例を挙げて説明したが、本発明は仕切り部の数について上述した例に限定されるものではない。
（Ｃ）
上記実施形態では、プールホッパ４の下流側に計量ホッパ５が配置されており、計量ホッパ５に貯留されている物品の重量値を用いて組合せ計量を行い、計量ホッパ５から集合排出シュート７に対して物品が排出される組合せ計量装置１に対して本発明を適用した例に挙げて説明した。しかし、本発明はこれに限定されるものではない。
【００４５】
例えば、計量ホッパ５の下流側にブースタホッパを備えたブースタ機タイプの組合せ計量装置であってもよいし、１つのプールホッパ４に対して複数の計量ホッパ５を有するペア機タイプの組合せ計量装置であってもよい。
（Ｄ）
上記実施形態では、第１仕切り部７１と第２仕切り部７２とが、集合排出シュート７とは別体として形成されている例を挙げて説明した。しかし、本発明はこれに限定されるものではない。
【００４６】
例えば、集合排出シュート７が１枚の板を折り曲げて第１仕切り部７１、第２仕切り部７２とともに形成されていてもよい。この場合には、部品点数を削減できるため、コストダウンを図ることができる。
（Ｅ）
上記実施形態では、集合排出シュート７の滑落面にテフロン加工が施されている例を挙げて説明した。しかし、本発明はこれに限定されるものではない。
【００４７】
例えば、エンボス加工等の物品との摩擦を軽減する他の表面処理が施されていてもよい。
【産業上の利用可能性】
【００４８】
本発明の組合せ計量装置は、集合シュートにおける計量サイクル１回分の被計量物の滑落時間を短縮して、組合せ計量装置における処理の高速化を図ることができるという効果を奏することから、組合せ計量のために選択されたホッパから排出された被計量物を集合させて排出する集合シュートを備えた組合せ計量装置に広く適用可能である。
【図面の簡単な説明】
【００４９】
【図１】本発明の一実施形態に係る組合せ計量装置および組合せ計量包装システムを示す概略図。
【図２】図１の組合せ計量装置が備えている供給フィーダの一部上面図。
【図３】図１の組合せ計量装置が備えている供給フィーダ側面図。
【図４】図１の組合せ計量装置が有している集合シュートを示す側面図。
【図５】図１の組合せ計量装置が有している集合シュートを示す一部上面図。
【図６】計量ホッパと集合シュートの各仕切り部との位置関係を示す概略図。
【図７】（ａ），（ｂ）は、本発明の他の実施形態に係る組合せ計量装置の集合シュートに形成された仕切り部を示す概略図。
【符号の説明】
【００５０】
１            組合せ計量装置
２            分散供給フィーダ
２ａ          電磁加振装置
３            供給フィーダ
３ａ          電磁加振装置
４            プールホッパ
４ａ〜４ｄ    プールホッパ
５            計量ホッパ
７            集合排出シュート（集合シュート）
７ａ〜７ｅ    滑落面
８            ヘッド
９            包装機
９ａ          フォーマ（投入口）
１０            組合せ計量包装システム
３１            供給トラフ
３１ａ〜３１ｄ  供給トラフ
４１            ゲート
５１            ゲート
７１            第１仕切り部
７２            第２仕切り部
Ｆ            フィルム
【図１】
2005212830.tif 000003
【図２】
2005212830.tif 000004
【図３】
2005212830.tif 000005
【図４】
2005212830.tif 000006
【図５】
2005212830.tif 000007
【図６】
2005212830.tif 000008
【図７】
2005212830.tif 000009